(57)【要約】      （修正有）【課題】バストを上に押し上げる効果を高める、カップを有する衣類を提供する。【解決手段】一対のカップ１の裏側、すなわち肌側には、伸縮性のバスト押上げ用布２１が配置されている。バスト押上げ用布は、各カップの下湾曲縁１７に架け渡されている。一例として、バスト押上げ用布は略半月形であり、弧状の下湾曲縁２２が各カップの下湾曲縁１７に沿うように、下端部がカップに縫い合わされている。バスト押上げ用布は、一例として、上端で折り返されることにより、下端から上端まで二重になっている。さらに、一対のカップの下湾曲縁１７に沿って、ワイヤ８１が縫い込まれている。ワイヤは、曲げ変形に対して、高い剛性を発揮するとともに弾性を発揮し、永久変形し難い線条体であり、好ましくは、両端を開く方向に５００ｇ重の荷重を印加したときに、両端の開きが２０ｍｍ以下となる曲げ剛性を有する。【選択図】図１
0003214014.tif 000002
【実用新案登録請求の範囲】
【請求項１】
左右一対のカップと、
前記左右一対のカップを構成する各カップの脇側部分と中心側部分とを互いに引き寄せるように、前記各カップの肌側に配置され、かつ前記各カップの下湾曲縁に架け渡された、伸縮性のバスト押上げ用布と、
前記各カップの前記下湾曲縁に沿って縫い込まれているワイヤと、を備え、
前記ワイヤは、両端を開く方向に５００ｇ重の荷重を印加したときに、両端の開きが２０ｍｍ以下となる曲げ剛性を有するワイヤである、カップを有する衣類。
【請求項２】
前記各カップと、その肌側に掛け渡された前記バスト押し上げ用布との間に配置され、下端部が前記下湾曲縁に沿って前記各カップに縫着され、パッドを出し入れ可能に収容する、出し入れ口付きの袋状のパッドポケットを、さらに有する請求項１に記載の、カップを有する衣類。
【請求項３】
前記各カップは、前方に最も突出した頂部が、前記カップを有する衣類を着用することにより押し上げられたバストの乳頭部に位置する形状であり、前記頂部から上縁までの高さと、前記下湾曲縁から前記頂部まで高さの比が、１：８から３：８の範囲である、請求項１又は２に記載の、カップを有する衣類。
【考案の詳細な説明】
【技術分野】
【０００１】
本考案は、ブラジャー等のカップを有する衣類に関し、特に、バスト（乳房）を上に押し上げる効果を高める技術に関する。
【背景技術】
【０００２】
従来、この種の技術として、特許文献１に開示される、カップを有する衣類が知られている。この従来技術による衣類は、カップ部の肌側に保形布が、カップ部の脇側部分と前中心側部分とを互いに引き寄せるように、カップ部の下縁部に架け渡されている（請求項１参照）。保形布が、バストの下側部分を包み込むように伸びることにより、バストを上方へ押し上げる効果が期待されている（明細書段落０００７参照）。さらに、保形布の上辺が、折り返されることによって伸び難くなっているため、バストを上方へしっかり押し上げることが期待されている（明細書段落０００７参照）。
【０００３】
しかし、この従来技術による、カップを有する衣類は、乳房のバージスライン（輪郭線）の形状が十分には保たれず、バストを上方へ押し上げる効果を十分に発揮することができない、という問題点があった。
【先行技術文献】
【特許文献】
【０００４】
【特許文献１】特許第5545444号公報
【考案の概要】
【考案が解決しようとする課題】
【０００５】
本考案は上記の問題点に鑑みてなされたもので、バストを上に押し上げる効果を高める、カップを有する衣類を提供することを目的とする。
【課題を解決するための手段】
【０００６】
上記課題を解決し上記目的を達成するために、本考案の一態様によるものは、カップを有する衣類であって、左右一対のカップと、伸縮性のバスト押上げ用布と、ワイヤと、を備えている。前記伸縮性のバスト押上げ用布は、前記左右一対のカップを構成する各カップの脇側部分と中心側部分とを互いに引き寄せるように、前記各カップの肌側に配置され、かつ前記各カップの下湾曲縁に架け渡されている。前記ワイヤは、前記各カップの前記下湾曲縁に沿って縫い込まれている。さらに、前記ワイヤは、両端を開く方向に５００ｇ重の荷重を印加したときに、両端の開きが２０ｍｍ以下となる曲げ剛性を有するワイヤである。
【０００７】
この構成によれば、着用したときに、バスト押上げ用布がバストの下側部分を包み込むように伸び、バストを上方へ押し上げる。さらに、十分に高い曲げ剛性を有するワイヤがバスト押し上げ用布に、張りを付与するので、バストを押し上げる効果が高められる。バスト押上げ用布は、伸縮性であるので、バストに異物感がなく、なじみ感のある心地よい感覚で、バストが押し上げられる。
【０００８】
本考案のうち第２の態様によるものは、第１の態様によるカップを有する衣類であって、前記各カップと、その肌側に掛け渡された前記バスト押し上げ用布との間に配置され、下端部が前記下湾曲縁に沿って前記各カップに縫着され、パッドを出し入れ可能に収容する、出し入れ口付きの袋状のパッドポケットを、さらに有している。
【０００９】
この構成によれば、パッドポケットにパッドを入れることにより、バスト下部の容積が加増されるので、バストを押し上げる効果が更に高められる。
【００１０】
本考案のうち第３の態様によるものは、第１又は第２の態様によるカップを有する衣類であって、前記各カップは、前方に最も突出した頂部が、前記カップを有する衣類を着用することにより押し上げられたバストの乳頭部に位置する形状であり、前記頂部から上縁までの高さと、前記下湾曲縁から前記頂部まで高さの比が、１：８から３：８の範囲である。
【００１１】
この構成によれば、着用したときに、乳頭部が高い位置となるように押し上げられたバストの形状が、カップによって損なわれない。同時に、バストが押し上げられない従来品と同程度に、デコルテを広く露出させることができる。なお、カップを有する衣類は、カップサイズに関して、例えばＡカップ、Ｂカップなどのランク分けがなされるので、着用者がカップサイズに応じた衣類を着用したときの乳頭部の位置は、カップサイズに応じて一意に定まる。
【考案の効果】
【００１２】
以上のように本考案によれば、バストを上に押し上げる効果を高める、カップを有する衣類が実現する。
【図面の簡単な説明】
【００１３】
【図１】本考案の一実施の形態によるブラジャーについて、裏から見た構成を例示する背面図である。
【図２】図１のブラジャーについて、裏から見た構成を例示する写真である。
【図３】図１のブラジャーのカップについて、表から見た構成を例示する正面図である。
【図４】図１のブラジャーのワイヤの曲げ剛性を計測する方法を示す説明図である。
【図５】図１のブラジャーのパッドポケットをカップとともに例示する図であり、（ａ）は背面図、（ｂ）は正面図である。
【図６】図１のブラジャーについて、表から見た構成を例示する正面図である。
【図７】図１のブラジャーについて、表から見た構成を例示する写真である。
【考案を実施するための形態】
【００１４】
図１は、本考案の一実施の形態によるブラジャーについて、裏から、すなわち肌に接する側から見た構成を例示している。また、図２は、同ブラジャーについて、裏から見た構成を例示する写真である。このブラジャー１０１は、左右一対のカップ１、カップ台布３、左右の一対のベルト５、左右一対の肩紐７、及びブラジャー１０１の端縁に沿って配置され、テープ状である端縁布８，９，１０を有している。
【００１５】
図３は、カップ１について、表から見た構成を例示する正面図である。カップ１は、３領域に分割して配置された、保形性のカップ布１１，１２，１３を有している。保形性とは、ドーム状の立体形状を構成したときに、その形状を保持する性質である。カップ布１１，１２，１３には、例えば、厚手の不織布、厚手の綿シートなどが用いられ、それにより保形性とともに、優しい肌触り、及び吸湿性が得られる。３片のカップ布１１，１２，１３は、接ぎ線（はぎせん）１９、２５に沿って、互いに縫い合わされている。厚手であるカップ布１１，１２，１３は、互いに重ね合わせたり、折り返したりすることなく、互いに突き合わせた状態で、縫い合される。突き合わせを隠すために、接ぎ線１９，２５に沿って、テープ状布２９，３０が、カップ布１１，１２，１３とともに縫い合わされる。
【００１６】
図１及び図２に戻って、一対のカップ１に挟まれた領域、及び一対のカップの脇側には、カップ台布３が縫着されている。カップ台布３には、例えばマーキゼットなどの、薄手かつ伸縮性の布が用いられる。一対のカップ１の下方には、テープ状の端縁布８が縫着されている。端縁布８は、ブラジャー１０１の下端縁に沿って、ブラジャー１０１の左端から右端まで、略一文字に延びるように配置されており、左右一対のカップ１、カップ台布３、及び左右の一対のベルト５のそれぞれの下端部に縫着されている。端縁布８は、「ピコテープ」と称され、伸縮性のある幾分厚手の布であり、例えばパワーネットが用いられる。
【００１７】
カップ１を構成する３片のカップ布１１，１２，１３（図３参照）と、カップ台布３及び端縁布８とを縫着する接ぎ線３３は、一対のカップ１の下湾曲縁１７に沿っている。下湾曲縁１７は、乳房のバージスライン（輪郭線）に沿って、略半円状である。すなわち、接ぎ線３３は、一対のカップ１の間において、バージスラインに沿って、乳房のニプル（乳頭部）と同等程度の高さにまで、上方に湾曲している。それにより、カップ台布３は、一対のカップ１の間に割って入るように配置され、一対のカップ１同士が、カップ台布３により分離されている。接ぎ線３３を隠すために、それに沿うように、テープ状布４３が、カップ布１１，１２，１３、カップ台布３、カップ１の裏布３７とともに縫い合わされる。
【００１８】
さらに、テープ状布４３の内側には、一対のカップ１の下湾曲縁１７に沿って、ワイヤ８１が縫い込まれている。ワイヤ８１は、曲げ変形に対して、相当に高い剛性を発揮するとともに弾性を発揮し、永久変形し難い線条体である。一例として、幅１．５ｍｍ、厚さ０．５ｍｍの断面矩形（但し角が丸みを帯びる）のスチールワイヤに、０．２５ｍｍ厚さにナイロンをコーティングすることにより、幅２ｍｍ、厚さ１ｍｍとなり、幅方向端縁の断面形状が半円形となったナイロンコーティング・ワイヤが用いられる。このナイロンコーティング・ワイヤは、幅方向に湾曲している。
【００１９】
一対のカップ１の裏側には、裏地としての裏布３７が縫着されている。裏布３７には、保形性のない布が用いられる。このため裏布３７は、一本の接ぎ線３８に沿って縫着される２つの布片に分割されるのみで足りる。接ぎ線３８は、一例として、一部が接ぎ線１９と重なり、略その延長線に沿って、カップ１の上辺まで延びている。裏布３７には、例えば、肌ざわりの良いモダールが用いられる。
【００２０】
裏布３７の裏側、すなわち肌側には、伸縮性のバスト押上げ用布２１が配置されている。バスト押上げ用布２１は、各カップ１の下湾曲縁１７に架け渡されている。一例として、バスト押上げ用布２１は略半月形であり、弧状の下湾曲縁２２が各カップ１の下湾曲縁１７に沿うように、下端部がカップ１に縫い合わされている。バスト押上げ用布２１は、一例として、上端で折り返されることにより、下端から上端まで二重になっている。バスト押上げ用布２１には、例えばパワーネットが用いられる。
【００２１】
ブラジャー１０１が着用されたときに、バスト押上げ用布２１は、バストの下側部分を包み込むように伸び、バストを上方へ押し上げる。さらに、相当に高い剛性を有するワイヤ８１がバスト押し上げ用布２１に、張りを付与するので、バストを押し上げる効果が高められる。バスト押上げ用布８１は、伸縮性であるので、バストに異物感がなく、なじみ感のある心地よい感覚で、バストが押し上げられる。
【００２２】
図４は、本願考案者がワイヤ８１の曲げ剛性を測定した方法を示す説明図である。この方法では、ワイヤ８１の端部に錘９１を下げることにより、両端を開く方向に荷重を架けたときの、曲げ変形による両端の開き９３を計測する。一定の荷重に対して両端の開き９３が小さいほど、曲げ剛性が高いと評価することができる。計測の結果、バスト押し上げ用布２１に、張りを付与することにより、バストを押し上げる効果を十分に高める上で、ワイヤ８１には、５００ｇ重の荷重に対して、両端の開き９３が２０ｍｍ以内となる曲げ剛性を有することが望ましく、１５ｍｍ以内となる曲げ剛性を有することが、さらに望ましいことが分かった。ワイヤ８１の一例として、上記に例示した、幅２ｍｍ、厚さ１ｍｍのナイロンコーティング・ワイヤでは、５００ｇ重の荷重に対して、開き９３は１３ｍｍであった。
【００２３】
一対のカップ１の裏布３７とバスト押上げ用布２１との間には、パッドを出し入れ可能に収容するパッドポケット８３が配置されている。図５は、パッドポケット８３をカップ１とともに例示しており、（ａ）は背面図、（ｂ）は正面図である。パッドポケット８３は平坦な袋状であり、その下湾曲縁２３が各カップ１の下湾曲縁１７に沿うように、下端部がカップ１に縫着されている。パッドポケット８３には、パッドを出し入れするための出し入れ口２４が、一例として、その表側に形成されている。パッドポケット８３にパッドを入れることにより、ブラジャー１０１を着用したときに、バスト下部の容積が加増されるので、バストを押し上げる効果が更に高められる。
【００２４】
図３に戻って、カップ１において、３片のカップ布１１，１２，１３の接ぎ線１９，２５の交点は、各カップ１の前方に最も突出した頂部２７に位置する。カップ１は、カップ１の大きさに相応した着用者が、ブラジャー１０１を着用したときに、バスト押上げ用布２１及びワイヤ８１の働きによって、効果的に押し上げられたバストのニプルに、頂部２７が位置する形状に形成されている。このため、ブラジャー１０１が着用されたときに、ニプルが高い位置となるように押し上げられたバストの形状が、カップ１によって損なわれない。さらに、カップ１の頂部２７から上縁までの高さ８５と、カップ１の下湾曲線１７から頂部２７までの高さ８６の比が、略２：８、例えば１：８〜３：８の範囲、より好ましくは、１．５：８〜２．５：８の範囲に設定される。すなわち、頂部２７よりも上側部分の縦幅が著しく狭く設定される。それにより、バストが押し上げられない従来品と同程度に、デコルテを広く露出させることができる。
【００２５】
再び図１及び図２に戻って、一対のカップ１の両側に配置されるカップ台布３の側端縁には、左右一対のベルト５が連結している。カップ台布３とベルト５とは、接ぎ線３５に沿って縫い合わされている。接ぎ線３５を隠すために、それに沿うように、テープ状布４４がカップ台布３及びベルト５とともに縫い合わされる。左右一対のベルト５には、伸縮性の布が用いられる。一対のベルト５の端部には、互いの着脱を可能にする留め具４６が設けられる。左右の一対のベルト５には、よく延びるように、ゴムが縫い込まれていてもよい。左右一対の肩紐７の各々一端は、カップ１の最上端部の肩紐連結部１５に連結され、他端はベルト５の上辺の一部に連結される。
【００２６】
一対のカップ１の上端縁のうち肩紐連結部１５から側端部までの部分から、カップ台布３の上端縁を経て、隣接するベルト５の上端縁のうち肩紐７が連結される部位まで、端縁布８と同様の端縁布９が縫着されている。さらに、ベルト５の上端縁のうち、肩紐７が連結される部位から留め具４６が連結される端部まで、端縁布８と同様の端縁布１０が縫着されている。端縁布９，１０は、一例として、端縁布８と同一材料である。
【００２７】
図６は、ブラジャー１０１を表から見た構成を例示する図である。また、図７は、ブラジャー１０１を表から見た構成を例示する写真である。カップ１及びカップ台布３の表側には、表地としての表布４７が縫着されている。一例として、表布４７は、装飾性あるレース地４９と、その裏に背景をなすように配置される背景布５１とが、縫着されてなる。レース地４９は、ベルト５の表側にも延長され、表地として縫着されている。表布４７も、裏布３７と同様に保形性が無いので、一対のカップ１を覆う部分では、左右各１本の接ぎ線５３に沿って、接ぎ合わされている。接ぎ線５３は、裏布３７の接ぎ線３８と重なっている。
【００２８】
以上、本考案がブラジャー１０１として具体化された一例を示した。これに対し、本願考案は、ブラジャーに限らず、ブラジャーと同様のカップを有するキャミソール、スリップなど、カップを有する衣類に広く適用可能である。
【符号の説明】
【００２９】
１  カップ、  ３  カップ台布、  ５  ベルト、  ７  肩紐、  ８，９，１０  端縁布、  １１，１２，１３  カップ布、  １５  肩紐連結部、  １７  下湾曲縁、  １９  接ぎ線、  ２１  バスト押上げ用布、  ２２  下湾曲縁、  ２４  出し入れ口、  ２５  接ぎ線、  ２７  頂部、  ２９，３０  テープ状布、  ３３，３５  接ぎ線、  ３７  裏布、  ３８  接ぎ線、  ４３，４４  テープ状布、  ４６  留め具、  ４７  表布、  ４９  レース地、  ５１  背景布、  ５３  接ぎ線、  ８１  ワイヤ、  ８３  パッドポケット、  ９１  錘、  開き  ９３、  ブラジャー  １０１。
【図１】
0003214014.tif 000003
【図２】
0003214014.tif 000004
【図３】
0003214014.tif 000005
【図４】
0003214014.tif 000006
【図５】
0003214014.tif 000007
【図６】
0003214014.tif 000008
【図７】
0003214014.tif 000009